(57)【特許請求の範囲】
【請求項１】
表側地と裏側地との間を隔壁布により中央空間部と額縁空間部とに仕切り、額縁空間部の４つの各辺内を表側地と裏側地との間に斜めに配した斜め隔壁布により表側小空間部と裏側小空間部に仕切り、裏側小空間部内に羽毛を充填し、表側小空間部内に羽毛より比重の大きい充填綿を充填したことを特徴とする掛布団。
【請求項２】
斜め隔壁布は、額縁空間部を形成する表側地の外端側と裏側地の内端側との間に斜めに配されていることを特徴とする請求項１記載の掛布団。
【請求項３】
中央空間部は、布地接着方式によるキルト縫製により縦４列、横３列の１２の小空間部に区分されていることを特徴とする請求項１または２記載の掛布団。
【請求項４】
充填綿は、防縮加工処理されたウールを有することを特徴とする請求項１ないし３のいずれかに記載の掛布団。
【請求項５】
充填綿は、綿、シルク、または合成繊維であることを特徴とする請求項１ないし３のいずれかに記載の掛布団。
【発明の詳細な説明】
【０００１】
【発明の属する技術分野】
本発明は、掛布団に係り、特に、寝返りによる布団のずれを小さくすることができる掛布団に関する。
【０００２】
【従来の技術】
従来の羽毛掛布団は、表側地と裏側地との間を隔壁布により縦４列、横３列の１２の小空間部に区分し、これら各小空間部に羽毛を充填し、充填された羽毛を小空間部に保つことで羽毛の片寄りを防ぐようにしている。
【０００３】
【発明が解決しようとする課題】
従来の掛布団は、充填物の全量が羽毛であるため、充分な嵩高性（ふくらみ性）は得られるが、掛布団の全域が同一重量であるため、身体へのフィット感が必ずしも充分とはいえず、寝返りにより掛布団がずれるという問題がある。
【０００４】
本発明は、かかる現況に鑑みなされたもので、全量羽毛の掛布団と同様の軽さを確保しつつ身体へのフィット感を向上させ、寝返りによるずれを小さくすることができる掛布団を提供することを目的とする。
【０００５】
本発明の他の目的は、一部にウール綿を用いているにも拘らず、従来の羽毛布団と同様の感触が得られる掛布団を提供するにある。
【０００６】
【課題を解決するための手段】
本発明の掛布団は、表側地と裏側地との間を隔壁布により中央空間部と額縁空間部とに仕切り、額縁空間部の４つの各辺内を表側地と裏側地との間に斜めに配した斜め隔壁布により表側小空間部と裏側小空間部に仕切り、裏側小空間部内に羽毛を充填し、表側小空間部内に羽毛より比重の大きい充填綿を充填し、布団周縁部を適度な重さとすることで、身体へのフィット感を向上させるとともに、寝返りによる布団のずれを小さくすることが可能となる。
【０００７】
本発明はまた、斜め隔壁布を、表側地の外端側と裏側地の内端側との間に斜めに配するようにしたことで、布団の周面を含めた布団の裏側全域が羽毛となり、従来の羽毛布団と同様の感触を得ることが可能となる。
【０００８】
【発明の実施の形態】
以下、本発明の実施の形態Ｅを図面を参照して説明する。
【０００９】
図１乃至図３は、本発明の実施の一形態に係る掛布団を示すもので、この掛布団１は、表側地２と、裏側地３と、これら両側地２、３の間に配された隔壁布４とを有し、方形枠状の隔壁布４によって中央空間部５と中央空間部５の周縁部に位置する額縁空間部６に仕切られている。
【００１０】
前記中央空間部５の内部は、図１乃至図３に示すように、縦隔壁布７と横隔壁布８とにより、縦４列、横３列の合計１２個の升目状の小空間部９に仕切られており、これら各小空間部９内には羽毛１０が充填されている。各隔壁布４、７、８と各側地２、３とは、縫合糸を用いない接着により連結され、これにより、外観性の向上が図られるとともに、キルト部分にだにやほこりが溜まるのを防止し、かつキルト部分からの羽毛の吹き出しも防止できるようになっている。
【００１１】
一方、前記額縁空間部６の内部は、図１に示すように、前記隔壁布４の隅部と額縁空間部６の隅部との間を連結する隅部隔壁布１１により各辺に対応する４つの小空間部１２に区分されており、これら各小空間部１２の内部は、図２および図３に示すように、表側地２の外端側と裏側地３の内端側との間に斜めに配した斜め隔壁布１３により、表側小空間部１４と裏側小空間部１５とに区分されている。各表側小空間部１４内には、羽毛より比重の大きい充填綿、たとえば防縮加工済みのウール綿１６が充填され、各裏側小空間部１５内には、羽毛１７が充填される。表側小空間部１４内のウール綿１６は、掛布団１２の周縁部に適度な重量を与え、身体へのフィット感を向上させるとともに、寝返りの際の掛布団１のずれを小さくする。
【００１２】
前記各隅部隔壁布１１および各斜め隔壁布１３と各側地２、３とは前記各隔壁布４、７、８と同様、縫合糸を用いない接着により連結されている。
【００１３】
次に、本実施の形態の作用について説明する。
【００１４】
掛布団１は、隔壁布４により中央空間部５と額縁空間部６とに区分され、中央空間部５内に羽毛１０が充填されている。このため、身体に当たる部分の全量が羽毛１０となり、従来の羽毛布団と同様の軽さが得られる。
【００１５】
一方、額縁空間部６内は、斜め隔壁布の１３により表側小空間部１４と、裏側小空間部１５とに区分され、表側小空間部１４内にウール綿１６が充填され、裏側小空間部１５に羽毛１７が充填されている。このため、ウール綿１６により掛布団１２周縁部に適度な重量が与えられ、身体へのフィット感を向上させることができ、また寝返りの際の掛布団１のずれを小さくすることができる。
【００１６】
ウール綿には、未防縮ウール綿と防縮加工ウール綿とがあるが、未防縮ウール綿を使用した場合、掛布団１内でのウール綿の動きが大きいことから、ウール綿のフェルト化が発生し易く好ましくない。そこで、本実施の形態においては、ウール綿１６として防縮加工ウール綿を使用している。この防縮加工ウール綿としては、例えばＥ−ＷＯＯＬ（商品名：大東紡織株式会社）が好適である。
【００１７】
すなわち、通常の羊毛防縮加工は、塩素を使用した塩素化樹脂方法が一般的であるが、この方法で加工されたウール綿は、焼却の際にダイオキシンが発生する問題があるが、前記Ｅ−ＷＯＯＬは、ダイオキシン等の有害物質発生源となる塩素を加工工程中で全く使用しない製法で作った防縮素材であり、しかもこのＥ−ＷＯＯＬは、羊毛の固い表皮（スケール）の上部３層のみを取り除いたことにより、防縮性だけでなく柔らかさも得られ、羽毛に匹敵する柔らかさとフィット感とが得られる。このため、この点からも本実施の形態におけるウール綿１６として好適である。
【００１８】
また、額縁空間部６の裏側小空間部１５内には羽毛１７が充填されているが、斜め隔壁布１３は、図２及び図３に示すように、表側地２の外端側と裏側地３の内端側との間に斜めに配されているので、額縁空間部６の下面側は羽毛１７で覆われることになり、身体に当たる部分はすべて羽毛１７となる。このため、従来の羽毛布団と同様の感触が得られ、一部にウール綿１６を用いることに伴う感触の悪化は全くない。
【００１９】
【実施例】
本発明者等は、前記実施の一形態における掛布団１において、ウール綿１６の最適充填量についての実験を行った。
【００２０】
すなわち、布団の充填物（綿）の性能としての最も重要な項目は、嵩高性（膨らみ性）であるので、ウール１００％（布団用）成型綿と羽毛（ダウン７０％、フェザー３０％）とを用い、その嵩高性を測定した。
（測定方法）
メスシリンダ１０００ｃｃ中に占める綿重量を測定した。
（測定結果）
ウール１００％成型綿                      ７９ｇ
羽毛（ダウン７０％、フェザー３０％）      ５７ｇ
以上の測定結果から、ウール１００％成型綿の１ｇが占める体積は１２．６６ｃｃ、羽毛（ダウン７０％、フェザー３０％）の１ｇが占める体積は１７．５４ｃｃであり、約４０％もの大きな嵩高性の違いが認められた。
【００２１】
したがって、この約４０％の嵩高性の違いを利用し、額縁空間部６の表側小空間部１４内に、ウール綿１６を６０％、裏側小空間部１５内に、羽毛１７を４０％充填することにより、従来と同様の膨らみ感で適度な重量感が得られることが判った。
【００２２】
なお、上記実施の形態では、充填綿としてウール綿を用いたが。充填綿として、綿、シルク、合成繊維、またはウールノップス（ウールを球状にしたもの）を用いても同等の効果を得ることができた。この場合には、額縁空間部６の表側小空間部１４内に充填される材料と裏側小空間部１５内に充填される羽毛１７との比率を変化させることが必要である。たとえば、充填綿が綿であれば、額縁空間部６の表側小空間部１４内に綿を４０％、裏側小空間部１５内に羽毛１７を６０％充填し、充填綿がシルクであれば、額縁空間部６の表側小空間部１４内にシルクを５０％、裏側小空間部１５内に羽毛１７を５０％充填する。合成繊維の場合には、合成繊維の種類によって比重が異なるので、合成繊維の比重に応じて羽毛との比率を変化させる。ウールノップスの場合、表側小空間部１４内にウールノップスを５０％、裏側小空間部１５内に羽毛１７を５０％充填する。
【００２３】
【発明の効果】
以上説明したように本発明は、表側地と裏側地との間を中央空間部と額縁空間部とに仕切り、額縁空間部内を斜め隔壁布により表側小空間部と裏側小空間部とに仕切り、裏側小空間部内に羽毛を充填し、表側小空間部内に羽毛より比重の大きい充填綿を充填したので、羽毛布団としての軽さ及び感触を確保しつつ、布団周縁部に適度な重量を与え、身体へのフィット感を向上させるとともに、寝返りによる布団のずれを小さくすることができる。
【００２４】
本発明は、斜め隔壁布を表側地の外端側と裏側地の内端側との間に斜めに配したので、布団の裏側全域が羽毛となり従来の羽毛布団と同様の感触を得ることができる。
【図面の簡単な説明】
【図１】本発明の実施の一形態を示す掛布団を表側から見た構成図である。
【図２】図１のII−II線に沿った断面図である。
【図３】図１のIII −III 線に沿った線断面図である。
【符号の説明】
１  掛布団
２  表側地
３  裏側地
４  隔離布
５  中央空間部
６  額縁空間部
９，１２  小空間部
１０，１７  羽毛
１１  隅部隔離布
１３  斜め隔離布
１４  表側小空間部
１５  裏側小空間部
１６  ウール綿
【図１】
0004236763.tif 000002
【図２】
0004236763.tif 000003
【図３】
0004236763.tif 000004